【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
補正レンズを備える可動側を、固定側に対して相対的に、光軸に直交する方向へ移動させて手振れを補正する手振れ補正ユニットにおいて、
前記可動側には、
前記補正レンズと、
前記補正レンズを保持するレンズ枠と、
複数の位置検出用磁石と、
コイル用フレキシブルプリント基板に接続された複数の駆動用コイルが備えられ、
前記固定側には、
複数の駆動用磁石と、
位置検出用フレキシブルプリント基板に実装された複数の磁界検出素子と、
強磁性体が備えられ、
前記複数の駆動用コイルと前記複数の駆動用磁石から構成される駆動部により前記可動側が駆動され、
前記複数の磁界検出素子と前記複数の位置検出用磁石から構成される位置検出部により前記可動側の前記固定側に対する相対的な位置を検出し、
前記強磁性体には前記位置検出用磁石からの磁束が光軸に平行な方向から流入する
ことを特徴とする手振れ補正ユニット。
【請求項２】
前記固定側は第１の固定枠と第２の固定枠を有し、
前記第２の固定枠には前記強磁性体が固定される
ことを特徴とする請求項１に記載の手振れ補正ユニット。
【請求項３】
前記第２の固定枠、前記レンズ枠及び前記強磁性体はそれぞれ光軸と直交する平面内に配置され、
前記第２の固定枠は、光軸に平行な方向において、一方で前記レンズ枠と対向し、他方で前記強磁性体と対向するように前記第１の固定枠に対して固定されている
ことを特徴とする請求項２に記載の手振れ補正ユニット。
【請求項４】
前記レンズ枠は、前記第１の固定枠と対向する側の面に、前記複数の駆動用コイルの位置決め用のボスを有する
ことを特徴とする請求項２又は請求項３に記載の手振れ補正ユニット。
【請求項５】
前記レンズ枠は、前記補正レンズを保持し、前記第２の固定枠との間に配置される転動可能な複数の球体により光軸と直交する方向へ移動可能に支持される
ことを特徴とする請求項２乃至請求項４のいずれかに記載の手振れ補正ユニット。
【請求項６】
前記球体は強磁性体からなり、前記駆動用磁石の磁力により吸引可能である
ことを特徴とする請求項５に記載の手振れ補正ユニット。
【請求項７】
前記駆動用コイル、前記駆動用磁石及び前記球体のそれぞれは、
光軸方向から見たときに光軸を中心として前記磁界検出素子と点対称となる位置に配置される
ことを特徴とする請求項５又は請求項６に記載の手振れ補正ユニット。
【請求項８】
前記レンズ枠が光軸と直交する方向において前記補正レンズの半径方向にのみ移動可能でありかつ揺動可能であるように案内する規制手段が前記固定側に設けられ、
前記コイル用フレキシブルプリント基板の端末は前記規制手段に近接する位置で引き出される
ことを特徴とする請求項１乃至請求項７のいずれかに記載の手振れ補正ユニット。
【請求項９】
前記強磁性体の前記検出用磁石を含む光軸と直交する平面に対する投影面積は、前記レンズ枠が移動される際に常に前記位置検出用磁石の移動範囲を含む大きさである
ことを特徴とする請求項１乃至請求項８のいずれかに記載の手振れ補正ユニット。
【請求項１０】
前記第１の固定枠、前記レンズ枠及び前記コイル用フレキシブルプリント基板はそれぞれ光軸と直交する平面内に配置され、
前記第１の固定枠は、光軸に平行な方向において、前記レンズ枠と対向するように配置され、
前記コイル用フレキシブルプリント基板は前記レンズ枠の前記第１の固定枠と対向する側に固定され、
前記位置検出用磁石は前記レンズ枠の前記磁界検出素子と対向する側に固定される
ことを特徴とする請求項２乃至請求項９のいずれかに記載の手振れ補正ユニット。
【請求項１１】
前記コイル用フレキシブルプリント基板及び前記位置検出用フレキシブルプリント基板は、片面のみに配線パターンが形成された、補強板をもたない基板である
ことを特徴とする請求項１乃至請求項１０のいずれかに記載の手振れ補正ユニット。
【請求項１２】
前記駆動用コイルは偏平な空芯部を有するコイルであり、前記レンズ枠はこのコイルの空芯部に嵌装される位置決め用ボス部を有する
ことを特徴とする請求項１乃至請求項１１のいずれかに記載の手振れ補正ユニット。
【手続補正２】
【補正対象書類名】明細書
【補正対象項目名】００１３
【補正方法】変更
【補正の内容】
【００１３】
そこで、上記課題を解決するため、請求項１に記載の発明は、
補正レンズを備える可動側を、固定側に対して相対的に、光軸に直交する方向へ移動させて手振れを補正する手振れ補正ユニットにおいて、
前記可動側には、
前記補正レンズと、
前記補正レンズを保持するレンズ枠と、
複数の位置検出用磁石と、
コイル用フレキシブルプリント基板に接続された複数の駆動用コイルが備えられ、
前記固定側には、
複数の駆動用磁石と、
位置検出用フレキシブルプリント基板に実装された複数の磁界検出素子と、
強磁性体が備えられ、
前記複数の駆動用コイルと前記複数の駆動用磁石から構成される駆動部により前記可動側が駆動され、
前記複数の磁界検出素子と前記複数の位置検出用磁石から構成される位置検出部により前記可動側の前記固定側に対する相対的な位置を検出し、
前記強磁性体には前記位置検出用磁石からの磁束が光軸に平行な方向から流入する
ことを特徴とする手振れ補正ユニットとした。
【手続補正３】
【補正対象書類名】明細書
【補正対象項目名】００１５
【補正方法】変更
【補正の内容】
【００１５】
さらに、請求項３に記載の発明は、
前記第２の固定枠、前記レンズ枠及び前記強磁性体はそれぞれ光軸と直交する平面内に配置され、
前記第２の固定枠は、光軸に平行な方向において、一方で前記レンズ枠と対向し、他方で前記強磁性体と対向するように前記第１の固定枠に対して固定されている
ことを特徴とする請求項２に記載の手振れ補正ユニットとした。
【手続補正４】
【補正対象書類名】明細書
【補正対象項目名】００１６
【補正方法】変更
【補正の内容】
【００１６】
さらに、請求項４に記載の発明は、
前記レンズ枠は、前記第１の固定枠と対向する側の面に、前記複数の駆動用コイルの位置決め用のボスを有する
ことを特徴とする請求項２又は請求項３に記載の手振れ補正ユニットとした。
【手続補正５】
【補正対象書類名】明細書
【補正対象項目名】００１７
【補正方法】変更
【補正の内容】
【００１７】
さらに、請求項５に記載の発明は、
前記レンズ枠は、前記補正レンズを保持し、前記第２の固定枠との間に配置される転動可能な複数の球体により光軸と直交する方向へ移動可能に支持される
ことを特徴とする請求項２乃至請求項４のいずれかに記載の手振れ補正ユニットとした。
【手続補正６】
【補正対象書類名】明細書
【補正対象項目名】００１８
【補正方法】変更
【補正の内容】
【００１８】
さらに、請求項６に記載の発明は、
前記球体は強磁性体からなり、前記駆動用磁石の磁力により吸引可能である
ことを特徴とする請求項５に記載の手振れ補正ユニットとした。
【手続補正７】
【補正対象書類名】明細書
【補正対象項目名】００１９
【補正方法】変更
【補正の内容】
【００１９】
さらに、請求項７に記載の発明は、
前記駆動用コイル、前記駆動用磁石及び前記球体のそれぞれは、
光軸方向から見たときに光軸を中心として前記磁界検出素子と点対称となる位置に配置される
ことを特徴とする請求項５又は請求項６に記載の手振れ補正ユニットとした。
【手続補正８】
【補正対象書類名】明細書
【補正対象項目名】００２０
【補正方法】変更
【補正の内容】
【００２０】
さらに、請求項８に記載の発明は、
前記レンズ枠が光軸と直交する方向において前記補正レンズの半径方向にのみ移動可能でありかつ揺動可能であるように案内する規制手段が前記固定側に設けられ、
前記コイル用フレキシブルプリント基板の端末は前記規制手段に近接する位置で引き出される
ことを特徴とする請求項１乃至請求項７のいずれかに記載の手振れ補正ユニットとした。
【手続補正９】
【補正対象書類名】明細書
【補正対象項目名】００２１
【補正方法】変更
【補正の内容】
【００２１】
さらに、請求項９に記載の発明は、
前記強磁性体の前記検出用磁石を含む光軸と直交する平面に対する投影面積は、前記レンズ枠が移動される際に常に前記位置検出用磁石の移動範囲を含む大きさである
ことを特徴とする請求項１乃至請求項８のいずれかに記載の手振れ補正ユニットとした。
【手続補正１０】
【補正対象書類名】明細書
【補正対象項目名】００２２
【補正方法】変更
【補正の内容】
【００２２】
さらに、請求項１０に記載の発明は、
前記第１の固定枠、前記レンズ枠及び前記コイル用フレキシブルプリント基板はそれぞれ光軸と直交する平面内に配置され、
前記第１の固定枠は、光軸に平行な方向において、前記レンズ枠と対向するように配置され、
前記コイル用フレキシブルプリント基板は前記レンズ枠の前記第１の固定枠と対向する側に固定され、
前記位置検出用磁石は前記レンズ枠の前記磁界検出素子と対向する側に固定される
ことを特徴とする請求項２乃至請求項９のいずれかに記載の手振れ補正ユニットとした。
【手続補正１１】
【補正対象書類名】明細書
【補正対象項目名】００２３
【補正方法】変更
【補正の内容】
【００２３】
さらに、請求項１１に記載の発明は、
前記コイル用フレキシブルプリント基板及び前記位置検出用フレキシブルプリント基板は、片面のみに配線パターンが形成された、補強板をもたない基板である
ことを特徴とする請求項１乃至請求項１０のいずれかに記載の手振れ補正ユニットとした。
【手続補正１２】
【補正対象書類名】明細書
【補正対象項目名】００２４
【補正方法】変更
【補正の内容】
【００２４】
さらに、請求項１２に記載の発明は、
前記駆動用コイルは偏平な空芯部を有するコイルであり、前記レンズ枠はこのコイルの空芯部に嵌装される位置決め用ボス部を有する
ことを特徴とする請求項１乃至請求項１１のいずれかに記載の手振れ補正ユニットとした。